(57)【要約】      （修正有）【課題】適切に日光を遮ることができ、また映像された画像を見たりすることができる車両用サンバイザを提供すること。【解決手段】日除けしたい場合にはステイの横軸部を支点としてサンバイザ本体をフロントガラス方向に回動させ、搭乗者の目に入るフロントガラスからの日光を遮るための使用位置に移動させることができる。このとき、日光がそれほど眩しくなければ、調整スイッチ１３Ａを操作すると、制御装置２０が電圧制御回路２４により調光フィルム８に印加する電圧を制御して、調光フィルム８における光の透過率を調整して、適度に眩しさを軽減したまま車室外を見ることができる。また、エンジンを掛けたままで停止中に、搭乗者がその指をＴＶスイッチ１３Ｂにタッチさせると、制御装置２０は表示制御回路２５によりテレビジョンの画像を表示パネル７に表示させるように制御する。【選択図】図３
2019001256.tif 000002
【特許請求の範囲】
【請求項１】
一端部がルーフに支持されるステイを支点としてサンバイザ本体を前記ルーフに近づけた収納位置と搭乗者の目に入る車両のフロントガラスからの日光を遮るための使用位置とに回動可能に構成した車両用サンバイザにおいて、
前記サンバイザ本体を少なくとも画像を映像するための表示パネルと光の透過率が調整可能であって前記サンバイザ本体が前記使用位置に回動された際の前記表示パネルの車外側に貼付される調光フィルムとを備えた本体部と、この本体部に取り付けられて前記ステイが配設される枠部とから構成したことを特徴とする車両用サンバイザ。
【請求項２】
前記枠部に光の透過率を調整するための調整スイッチと、前記画像を映像するための映像スイッチとを設けたことを特徴とする請求項１に記載の車両用サンバイザ。
【請求項３】
前記サンバイザ本体が前記使用位置に回動された際の前記本体部の車室側に、透明の飛散防止フィルムを貼付したことを特徴とする請求項１に記載の車両用サンバイザ。
【発明の詳細な説明】
【技術分野】
【０００１】
本発明は、一端部がルーフに支持されるステイを支点としてサンバイザ本体を前記ルーフに近づけた収納位置と搭乗者の目に入る車両のフロントガラスからの日光を遮るための使用位置とに回動可能に構成した車両用サンバイザに関する。
【背景技術】
【０００２】
液晶表示パネルを備えて、車両のフロントウインドウの上部位置、即ち車両用サンバイザの位置に表示部を配置して、照度の検出情報に基づいて前記液晶表示パネルにおける光の透過率を制御する技術が、例えば特許文献１に開示されている。
【先行技術文献】
【特許文献】
【０００３】
【特許文献１】特開２０１６−８００２号公報
【発明の概要】
【発明が解決しようとする課題】
【０００４】
しかしながら、搭乗者の背の高さに合わせて表示位置を変更することができず、搭乗者によっては適切に日光を遮ることができない事態も発生することがある。一方、車内にて搭乗者がテレビジョンの映像された画像を見たり、やＤＶＤ装置により再生された映像された画像を見て、楽しむことは広く行われている。
【０００５】
そこで本発明は、上記の点に鑑み、適切に日光を遮ることができ、また映像された画像を見たりすることができる車両用サンバイザを提供することを目的とする。
【課題を解決するための手段】
【０００６】
このため第１の発明は、一端部がルーフに支持されるステイを支点としてサンバイザ本体を前記ルーフに近づけた収納位置と搭乗者の目に入る車両のフロントガラスからの日光を遮るための使用位置とに回動可能に構成した車両用サンバイザにおいて、
前記サンバイザ本体を少なくとも画像を映像するための表示パネルと光の透過率が調整可能であって前記サンバイザ本体が前記使用位置に回動された際の前記表示パネルの車外側に貼付される調光フィルムとを備えた本体部と、この本体部に取り付けられて前記ステイが配設される枠部とから構成したことを特徴とする。
【０００７】
また第２の発明は、第１の発明において、前記枠部に光の透過率を調整するための調整スイッチと、前記画像を映像するための映像スイッチとを設けたことを特徴とする。
【０００８】
更に第３の発明は、第１の発明において、前記サンバイザ本体が前記使用位置に回動された際の前記本体部の車室側に、透明の飛散防止フィルムを貼付したことを特徴とする。
【発明の効果】
【０００９】
本発明によれば、適切に日光を遮ることができ、また映像された画像を見たりすることができる車両用サンバイザを提供することできる。更には、サンバイザ本体の本体部、即ち表示パネルの事故時の破損、割れや飛散を防止することができる。
【図面の簡単な説明】
【００１０】
【図１】本実施の形態に係る車両用サンバイザ全体を示す正面図である。
【図２】図１のＡ−Ａ断面せる切り口を示す図である。
【図３】本実施の形態に係る車両用サンバイザの電気的な制御に係る制御ブロック図である。
【発明を実施するための形態】
【００１１】
以下、本発明の実施形態に係る車両用サンバイザについて、図１〜図３を参照しつつ詳述する。図１は本実施の形態に係る車両用サンバイザ１全体を示し、図２は図１のＡ−Ａ断面せる切り口を示す図であり、車両の進行方向に対して右の座席の搭乗者が使用する前記車両用サンバイザ１を例にして説明するが、左の座席の搭乗者に対応する前記車両用サンバイザ１にも適用でき、この場合には前記車両用サンバイザ１の支持側が逆となる。
【００１２】
前記車両用サンバイザ１は、主たる部分となるサンバイザ本体２と、このサンバイザ本体２内部から一部外方へ突出した断面形状が円形か又は断面の外形が円形状で内部に中空パイプを備えたステイ４と、車両の車体に前記ステイ４を回転可能に取り付けるための取付具５と、前記サンバイザ本体２の上端部に形成した開口部に設けられてルーフ（車室の天井部）に設けたフックに着脱可能に取り付けられるカラー６とを備えている。
【００１３】
前記サンバイザ本体２は、少なくとも画像を映像するための表示パネル７と光の透過率が調整可能であって前記サンバイザ本体２が使用位置に回動された際の前記表示パネル７の車外側に貼付される調光フィルム８とを備えた本体部９と、例えば軟質の合成樹脂材料で構成され前記ステイ４が配設されると共に前記本体部９の周囲の全部又は一部を囲むように取り付けられる枠部１０とから構成される。
【００１４】
即ち、前記本体部９は少なくとも前記表示パネル７と前記調光フィルム８とから構成され、本実施形態では、前記サンバイザ本体２が前記使用位置に回動された際の前記本体部９の車室側に、直接的には前記表示パネル７の車室側に、前記サンバイザ本体２の前記本体部９、即ち前記表示パネル７の事故時の破損、割れや飛散を防止するために、透明の飛散防止フィルム１１を貼付するが、前記調光フィルム８上にも貼付してもよい。なお、前記本体部９の厚さを確保するために、透明なガラス板や合成樹脂材料で構成された透明板を前記表示パネル７の表裏いずれかの面に、又は前記調光フィルム８の表裏いずれかの面に貼付してもよい。
【００１５】
なお、前記枠部１０は正面視、概ねコ字形状を呈して、本実施形態のように、別体の表裏２枚を重ね合せて構成してもよく、表裏が連結部を介して連結されて一体化されたもので構成してもよく、いずれにおいても、前記枠部１０は前記本体部９の両側部及び上部を挟むように、前記枠部１０と前記本体部９とを固定するが、その固定構造や固定の仕方は問わない。なお、前記枠部は前記本体部９の全周を囲むようにして、固定してもよい。
【００１６】
前記表示パネル７は、本実施形態では光透過型の液晶パネルで構成するが、その他光透過型の有機ＥＬディスプレイ（有機ＥＬパネル）で構成された表示パネルや、その他の光透過型の表示パネルなどで構成しても良い。
【００１７】
なお、図１において示す前記枠部１０の右部には窓部１０Ａが開設され、この窓部１０Ａには、操作画面等を表示する表示装置であるモニタとこのモニタの表示画面に形成された入力手段としてのタッチパネルスイッチとが設けられ、即ち前記調光フィルム８における光の透過率を調整可能とする調整スイッチ１３Ａと、前記表示パネル７にテレビジョンの映像される画像を表示するために操作されるＴＶ（テレビジョン）スイッチ１３Ｂと、ＤＶＤ（デジタル・ヴァーサタイル・ディスク）装置により再生されて映像される画像を表示するために操作されるＤＶＤスイッチ１３Ｃとが設けられる。
【００１８】
そして、前記ＴＶスイッチ１３Ｂと前記ＤＶＤスイッチ１３Ｃとは映像スイッチであり、前記映像スイッチとして前記表示パネル７にカーナビゲーションにおける画像を表示させるためのカーナビゲーション選択スイッチを使用することができる。
【００１９】
図１に示すように、前記ステイ４は横長の横軸部４Ａと、この横軸部４Ａの取付側端部を概ね垂直方向に曲げた縦軸部４Ｂとで略Ｌ字状に形成される。そして、前記横軸部４Ａを支点として前記サンバイザ本体２を前記ルーフに近づけた収納位置と搭乗者の目に入るフロントガラスからの日光を遮るための前記使用位置とに回動可能に構成する。
【００２０】
次に、前記車両用サンバイザ１の電気的な制御に係る制御ブロック図である図３について説明する。先ず、２０は前記車両用サンバイザ１の前記調光フィルム８の光の透過率に係る制御や前記表示パネル７の映像に係る制御をするマイクロコンピュータから構成される制御装置で、ＣＰＵ（セントラル・プロセッシング・ユニット）、ＲＯＭ（リ−ド・オンリー・メモリ）、ＲＡＭ（ランダム・アクセス・メモリ）を備え、ＣＰＵが前記ＲＡＭに記憶された各種データに基づき、前記ＲＯＭに格納されたプログラムに従い、前述した制御を行う。
【００２１】
前記制御装置２０には、インターフェース２１を介して前記調整スイッチ１３Ａ、前記ＴＶスイッチ１３Ｂ、前記ＤＶＤスイッチ１３Ｃ及び昼光センサ２２が接続されている。
【００２２】
また前記制御装置２０には、インターフェース２３を介して電圧制御回路２４、表示制御回路２５及び輝度制御回路２６が接続されている。そして、前記車両のエンジンを掛けたままで停止した状態で、搭乗者がその指を前記調整スイッチ１３Ａの下部にタッチしたまま上昇させると、前記制御装置２０は前記電圧制御回路２４により前記調光フィルム８に印加する電圧を上昇させるように制御して前記調光フィルム８における光の透過率を上昇増加させるように制御する。
【００２３】
即ち、前記調整スイッチ１３Ａにタッチしたまま指を上昇させると、前記制御装置２０が前記電圧制御回路２４により前記調光フィルム８に印加する電圧を上昇させるように制御して、前記調光フィルム８における光の透過率を上昇増加させ、指を下降させると前記制御装置２０が前記電圧制御回路２４により前記調光フィルム８に印加する電圧を下降させるように制御して、電圧をゼロボルトにすれば完全に遮光することもできる。即ち、電圧を印加することにより、前記調光フィルム８はその色を青色から透明へ無段階に切り替えられ、光の透過率を無段階に調整できる。
【００２４】
また搭乗者がその指を前記ＴＶスイッチ１３Ｂにタッチさせると、前記制御装置２０は前記表示制御回路２５によりテレビジョンの画像を前記表示パネル７に表示させるように制御する。更に、搭乗者がその指を前記ＤＶスイッチ１３Ｃにタッチさせると、前記制御装置２０は前記表示制御回路２５によりＤＶＤ装置により再生されて映像される画像を前記表示パネル７に表示させるように制御する。また、昼光センサ２２からの検出出力に基づいて、前記制御装置２０は前記輝度制御回路２６を介して前記表示パネル７に表示させる映像の明るさ（輝度）を制御する。即ち、前記昼光センサ２２が明るさを検出して、その昼光センサ２２からの検出出力に基づいて、前記表示パネル７に表示される映像の輝度を調節制御し、明るければ前記制御装置２０は前記表示パネル７に表示される映像も明るくなるように制御し、暗ければ映像は輝度を落として暗くなるように制御する。
【００２５】
そして、前記車両を運転して、日除けしたい場合には、前記ステイ４の前記横軸部４Ａを支点として前記サンバイザ本体２を前記フロントガラス方向に回動させ、搭乗者の目に入るフロントガラスからの日光を遮るための前記使用位置に移動させることができる。このとき、適切に日光を遮るために、日光がそれほど眩しくなければ、前記調整スイッチ１３Ａを前述したように、上昇又は下降操作して光の透過率を調整して、眩しくない程度に且つ前方が見えるようにできる。また、日光がかなり眩しければ、前記調整スイッチ１３Ａを下降操作して光の透過率を減少調整して、眩しくない程度に且つ前方が見えるようにでき、更には加減まで下降操作することにより光の透過率を更に減少調整させて遮光することもできる。
【００２６】
即ち、前記調整スイッチ１３Ａの操作に基づいて、前記制御装置２０が前記電圧制御回路２４により前記調光フィルム８に印加する電圧を制御して、前記調光フィルム８における光の透過率を調整して、適度に眩しさを軽減したまま車室外を見ることができる。
【００２７】
また、前記車両のエンジンを掛けたままで停止中に、車内にて搭乗者がテレビジョンの映像された画像を見たり、やＤＶＤ装置により再生された映像された画像を見て楽しむ際には、先ず前記調整スイッチ１３Ａを下降操作して光の透過率を減少調整させて遮光状態（又はほぼ遮光状態）とする。そして、前述したように、搭乗者がその指を前記ＴＶスイッチ１３Ｂにタッチさせると、前記制御装置２０は前記表示制御回路２５によりテレビジョンの画像を前記表示パネル７に表示させるように制御して前記表示パネル７に表示させたり、前記ＤＶＤイッチ１３Ｃにタッチさせると、前記制御装置２０は前記表示制御回路２５により前記ＤＶＤ装置により再生される画像を前記表示パネル７に表示させるように制御して前記表示パネル７に表示させることができる。
【００２８】
更には、前記昼光センサ２２が明るさを検出して、その昼光センサ２２からの検出出力に基づいて、前記表示パネル７に表示される映像の輝度を調節制御することもできる。
【００２９】
以上のように、本実施形態によれば、適切に日光を遮ることができ、また映像された画像を見たりすることができる車両用サンバイザを提供することできる。更には、前記サンバイザ本体２が前記使用位置に回動された際の前記本体部９の車室側に（直接的には前記表示パネル７の車室側に）、透明の飛散防止フィルム１１を貼付したので、前記本体部９、即ち前記表示パネル７の事故時の破損、割れや飛散を防止することができる。
【００３０】
以上のように、本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００３１】
１                車両用サンバイザ
２                サンバイザ本体
４                ステイ
７                表示パネル
９                本体部
１０              枠部
１３Ａ            調整スイッチ
１３Ｂ            ＴＶスイッチ
１３Ｃ            ＤＶＤスイッチ
【図１】
2019001256.tif 000003
【図２】
2019001256.tif 000004
【図３】
2019001256.tif 000005